(57)【要約】【課題】  安定した取付状態を維持することができるばかりではなく、屋根材の取付作業を極めて簡便に行うことができ、工期の短縮化に大きく寄与することができる新規な屋根材を提供する。【解決手段】  建築物の屋根を構成する野地板の上面、又は、該野地板上に敷設された既設の屋根材３６の上面を多数枚によって被覆する屋根材１であって、上記野地板の上面又は上記既設の屋根材３６の上面を被覆する方形状の平板部２と、この平板部２の左端又は右端から下面が該平板部２の上面に対向するよう折り返されてなる一方の折返片３と、上記平板部２の右端又は左端から上面が該平板部２の下面に対向するよう折り返されてなるとともに、隣に敷設される屋根材１に形成された上記一方の折返片３と平板部２との間に挿入されることにより該一方の折返片３に係合する他方の折返片９と、を備え、上記一方の折返片３と他方の折返片９との双方には、該他方の折返片９が一方の折返片３と平板部２との間に側方から圧入されることにより互いに係合する一方及び他方の係合部５，１１が形成されてなる。【選択図】  図１
2005188197.tif 000002
【特許請求の範囲】
【請求項１】
建築物の屋根を構成する野地板の上面、又は、該野地板上に敷設された既設の屋根材の上面を多数枚によって被覆する屋根材であって、
上記野地板の上面又は上記既設の屋根材の上面を被覆する方形状の平板部と、
この平板部の左端又は右端から下面が該平板部の上面に対向するよう折り返されてなる一方の折返片と、
上記平板部の右端又は左端から上面が該平板部の下面に対向するよう折り返されてなるとともに、隣に敷設される屋根材に形成された上記一方の折返片と平板部との間に挿入されることにより該一方の折返片に係合する他方の折返片と、
を備え、
上記一方の折返片と他方の折返片との双方には、該他方の折返片が一方の折返片と平板部との間に側方から圧入されることにより互いに係合する一方及び他方の係合部が形成されてなることを特徴とする屋根材。
【請求項２】
前記一方の係合部は、前記平板部の左端又は右端と平行に形成された一方の折曲線にて折曲されてなるとともに、前記一方の折返片の基端からこの一方の折曲線にかけて徐々に上記平板部の上面と接近するよう傾斜され、該一方の折曲線から一方の折返片の先端にかけては徐々に平板部の上面と離間するよう傾斜してなり、
前記他方の係合部は、前記平板部の右端又は左端と平行に形成された他方の折曲線にて折曲されてなるとともに、前記他方の折返片の基端からこの他方の折曲線にかけて徐々に上記平板部の下面と接近するよう傾斜され、該他方の折曲線から他方の折返片の先端にかけては徐々に平板部の下面と離間するよう傾斜してなることを特徴とする請求項１記載の屋根材。
【請求項３】
前記一方の係合部は、前記平板部の右端又は左端と平行に形成された円弧状の凸条又は凹条であり、前記他方の係合部は、上記平板部の左端又は右端と平行に形成され上記凸条に係合する凹条又は上記凹条に係合する凸条であることを特徴とする請求項１記載の屋根材。
【請求項４】
前記平板部の下端には、該平板部の下面に上面が対向するよう折り返されてなる下側折返片が形成され、
上記平板部の上端には、勾配方向の上方に敷設される屋根材に形成された上記下側折返片が挿入される挿入空間が平板部の上面との間で形成されるよう折曲されてなる傾斜板部と、この傾斜板部と連続してなり上面は上記平板部よりも上方に位置してなる第２の平板部と、この第２の平板部の勾配方向の上端から野地板側に折曲されてなる垂下板部と、を備えた凸条部が形成されてなり、
上記下側折返片と上記傾斜板部との双方には、該下側折返片が上記挿入空間内に圧入されることにより互いに係合する第２の係合部が形成されてなることを特徴とする請求項１，２又は３記載の屋根材。
【請求項５】
前記一方の折返片は、前記凸条部の左端又は右端よりも左側又は右側に形成されてなり、前記平板部の左側又は右側であって勾配方向の上方側端部には切欠きが形成されてなるとともに、前記垂下板部の野地板側端部は、上記平板部の下面よりも僅かに下方に位置してなることを特徴とする請求項４記載の屋根材。
【発明の詳細な説明】
【技術分野】
【０００１】
本発明は、建築物の屋根を構成する野地板の上面、又は、該野地板上に敷設された既設の屋根材の上面を多数毎によって被覆する屋根材に関し、特に平板状に成形された屋根材に関するものである。
【背景技術】
【０００２】
セメント製のスレート瓦のように、平板状に成形されたタイプの屋根材は、我が国において古くから使用されている波状に成形された瓦（粘土瓦）に比べ、敷設作業が楽であるばかりではなく、軽量であることから、従来より広く使用されている。しかしながら、こうしたスレート瓦は、経年劣化によるひび割れが発生した場合には雨漏りの原因となることから補修や改修をする必要がある。しかし、敷設された多数枚のスレート瓦のうちで雨漏りの原因となっているものがどのスレート瓦であるかを特定することは極めて困難であり、全てのスレート瓦を取り除き新たな瓦を敷設するとすればコスト高となる。そこで、こうした実情を解消するために、特許文献１に開示された屋根材がある。この屋根材は、金属板が折曲加工されてなるものであって、左端には折返部が形成されており、また、右端には、この折返部が係合する凹部が形成されている。このため、この特許文献１に記載された屋根材を順番に敷設する場合には、一の屋根材を敷設した後に、この一の屋根材の（勾配方向の）下側から他の屋根材に形成された上記凹部内に、該一の屋根材に形成された折返部が収容されるように該他の屋根材を、該他の屋根材及び一の屋根材とが左右に並ぶ位置まで上方にスライドさせる。こうした作業により、上記一の屋根材と他の屋根材とは、上記折曲部と凹部とが互いに係合した状態で敷設される。したがって、上記従来の屋根材によれば、上記折返片と凹部との係合により、安定した取付状態を維持することができる。
【特許文献１】特開２００１−８１９０６
【発明の開示】
【発明が解決しようとする課題】
【０００３】
しかしながら、上記特許文献１に開示された屋根材では、上述したように、一旦取り付けられた一の屋根材の隣に他の屋根材を敷設する場合には、上記折返部と凹部との関係から、必ず、該他の屋根材を勾配方向の下側から上側にスライドさせなければならず、多数の屋根材を敷設する作業性が極めて悪く、工期を短縮することもできない。
【０００４】
そこで、本発明は、上述した従来の屋根材が有する課題を解決するために提案されたものであって、安定した取付状態を維持することができるばかりではなく、屋根材の取付作業を極めて簡便に行うことができ、工期の短縮化に大きく寄与することができる新規な屋根材を提供することを目的とする。
【課題を解決するための手段】
【０００５】
上述の課題を解決するために提案されたものであり、第１の発明（請求項１記載の発明）に係る屋根材は、建築物の屋根を構成する野地板の上面、又は、該野地板上に敷設された既設の屋根材の上面を多数枚によって被覆する屋根材であって、上記野地板の上面又は上記既設の屋根材の上面を被覆する方形状の平板部と、この平板部の左端又は右端から下面が該平板部の上面に対向するよう折り返されてなる一方の折返片と、上記平板部の右端又は左端から上面が該平板部の下面に対向するよう折り返されてなるとともに、隣に敷設される屋根材に形成された上記一方の折返片と平板部との間に挿入されることにより該一方の折返片に係合する他方の折返片と、を備え、上記一方の折返片と他方の折返片との双方には、該他方の折返片が一方の折返片と平板部との間に側方から圧入されることにより互いに係合する一方及び他方の係合部が形成されてなることを特徴とするものである。
【０００６】
なお、この第１の発明では、一方の折返片と他方の折返片との双方には、該他方の折返片が一方の折返片と平板部との間に側方から圧入されることにより互いに係合する一方及び他方の係合部が形成されてなる必要があり、該一方及び他方の係合部の形状が特に限定されるものではない。また、側方から圧入されるときは、上記一方の係合部と他方の係合部とが、互いに係合するよう側方から力を作用させ、この力の作用により、それまで係合されていなかった状態から係合される状態に到る状態をいう。また、この屋根材は、既設の屋根材上にのみ敷設されるものではなく、野地板上（又は該野地板上に敷かれた防水シート上）に新規に敷設されるのもであっても良い。
【０００７】
また、第２の発明（請求項２記載の発明）に係る屋根材は、上記第１の発明において、前記一方の係合部は、前記平板部の左端又は右端と平行に形成された一方の折曲線にて折曲されてなるとともに、前記一方の折返片の基端からこの一方の折曲線にかけて徐々に上記平板部の上面と接近するよう傾斜され、該一方の折曲線から一方の折返片の先端にかけては徐々に平板部の上面と離間するよう傾斜してなり、前記他方の係合部は、前記平板部の右端又は左端と平行に形成された他方の折曲線にて折曲されてなるとともに、前記他方の折返片の基端からこの他方の折曲線にかけて徐々に上記平板部の下面と接近するよう傾斜され、該他方の折曲線から他方の折返片の先端にかけては徐々に平板部の下面と離間するよう傾斜してなることを特徴とするものである。
【０００８】
この第２の発明では、一方及び他方の折返片には、それぞれに折曲線が形成されることからこの折曲線を間に介して２つの面が連続しており、一方及び他方の折返片の各折曲線よりも基端側の面は、徐々に平板部の上面と接近するように傾斜され、逆に一方及び他方の折返片の折曲線よりも先端側の面は、徐々に平板部の上面と離間するように傾斜している。また、これら一方及び他方の折返片は、それぞれ屋根材の平板部端部と連続するものであることから、これら一方及び他方の折返片を動かす場合には、それぞれ現在の状態を保つように弾性力が作用する。一方及び他方の折返片は以上の構成からなるものであることから、一方の屋根材を他方の屋根材に取り付けるために、他方の屋根材に形成された他方の折返片を一方の屋根材に形成された一方の折返片内と平板部との間に圧入した場合、先ず他方の折返片に形成された折曲線よりも先端側の面が一方の折返片に形成された折曲線よりも先端側の面と当接する。そして、更に他方の折返片を一方の折返片と平板部との間に圧入した場合には、弾性力に反して一方の折返片に形成された折曲線から該他方の折返片の先端までの面が一方の屋根材の平板部から離間し、また、他方の折返片に形成された折曲線から該他方の折返片の先端までの面も他方の屋根材の平板部から離間する。そして、この他方の折返片の折曲線が一方の折返片の折曲線よりも一方の折返片の基端側に入った場合には、この一方及び他方の折返片は、弾性力によって再び一方及び他方の屋根材の平板部側に動き、一方及び他方の折返片の折曲線から一方及び他方の屋根材の平板部までの面が互いに対向する。したがって、このように一方及び他方の折返片の面同士が対向することによりこれらは係合し、一方の折返片に他方の折返片は取り付けられる。逆に、このように係合した一方の折返片から他方の折返片を取り外す場合には、一方の折返片の側方であって上記取り付け時とは逆向きに他方の折返片を動かすことにより、弾性力に反してこれら一方及び他方の折返片は平板部側に移動し、これら一方及び他方の折返片の係合は解除される。
【０００９】
また、第３の発明（請求項３記載の発明）に係る屋根材は、上記第１の発明において、前記一方の係合部は、前記平板部の右端又は左端と平行に形成された円弧状の凸条又は凹条であり、前記他方の係合部は、上記平板部の左端又は右端と平行に形成され上記凸条に係合する凹条又は上記凹条に係合する凸条であることを特徴とするものである。
【００１０】
第４の発明（請求項４記載の発明）に係る屋根材は、上記第１，第２又は第３の発明において、前記平板部の下端には、該平板部の下面に上面が対向するよう折り返されてなる下側折返片が形成され、上記平板部の上端には、勾配方向の上方に敷設される屋根材に形成された上記下側折返片が挿入される挿入空間が平板部の上面との間で形成されるよう折曲されてなる傾斜板部と、この傾斜板部と連続してなり上面は上記平板部よりも上方に位置してなる第２の平板部と、この第２の平板部の勾配方向の上端から野地板側に折曲されてなる垂下板部と、を備えた凸条部が形成されてなり、上記下側折返片と上記傾斜板部との双方には、該下側折返片が上記挿入空間内に圧入されることにより互いに係合する第２の係合部が形成されてなることを特徴とするものである。
【００１１】
第５の発明（請求項５記載の発明）に係る屋根材は、上記第４の発明において、前記一方の折返片は、前記凸条部の左端又は右端よりも左側又は右側に形成されてなり、前記平板部の左側又は右側であって勾配方向の上方側端部には切欠きが形成されてなるとともに、前記垂下板部の野地板側端部は、上記平板部の下面よりも僅かに下方に位置してなることを特徴とするものである。
【発明の効果】
【００１２】
この第１の発明の屋根材では、一方の折返片と他方の折返片との双方には、該他方の折返片が一方の折返片と平板部との間に側方から圧入されることにより互いに係合する一方及び他方の係合部が形成されてなることから、従来の屋根材のように、一旦取り付けられた一の屋根材の隣に他の屋根材を敷設する場合において、他の屋根材を勾配方向の下側から上側にスライドさせる必要性はなく、単に、側方から一方の折返片と平板部との間に他方の折曲片を圧入するのみで足りる。したがって、この発明によれば、多数の屋根材を敷設する作業性は極めて簡単なものとなり、工期を短縮することができる。特に、この第１の発明では、一方の折返片に形成された一方の係合部と他方の折返片に形成された他方の係合部とは、他方の折返片が一方の折返片と平板部との間に圧入されることにより互いに係合することから、該一方の係合部と他方の係合部との係合状態を保持することができ、外力により容易に外れることを防止することができる。特に、第３の発明のように、上記一方の係合部又は他方の係合部を、凸条又は凹条とした場合には、外力により一旦取り付けられた屋根材が外れてしまうことをより一層防止することができる。
【００１３】
また、この第２の発明の屋根材では、一方の係合部には、一方の折曲線から一方の折返片の先端にかけて徐々に平板部の上面と離間するよう傾斜し、同様に、他方の係合部には、他方の折曲線から他方の折返片の先端にかけては徐々に平板部の下面と離間するよう傾斜してなることから、上記一方の係合部と他方の係合部とを、側方から互いに係合させる際、容易且つ確実に他方の折返片を一方の折返片と平板部との間に圧入させることができる。
【００１４】
また、上記第４の発明の屋根材は、下側折返片と傾斜板部とが形成され、該下側折返片が傾斜板部に形成される挿入空間内に圧入されることにより互いに係合する第２の係合部が形成されていることから、建築物の屋根の左右方向のみならず、屋根の勾配方向の上下方向についても確実に互いの保持状態を維持することができ、取り付けられた屋根材の自重により勾配方向の下方に位置ずれすることを防止することができる。
【００１５】
また、この第５の発明の屋根材によれば、一及び他の屋根材を左右方向に配置し、一の屋根材に形成された一方の折返片を他の屋根材に形成された他方の折返片内に圧入して係合させた場合には、上記一の屋根材を構成する平板部の左端又は右端に突出する部分に形成された切欠きは、他の屋根材の平板部の下面に対向するように位置すると共に、該切欠きが他の屋根材を構成する凸条部の垂下板部の下端端部近傍に当接する。したがって、これら一及び他の屋根材は、係合部の係合により固定される際に、切欠きと垂下板部とが当接することによってより固定が強固なものとなり、取り付けられた屋根材に対して、該取り付けられた屋根材の上方に他の屋根材が取り付けられる以前であっても、勾配方向の下方に移動することがない。
【発明を実施するための最良の形態】
【００１６】
以下、本発明の実施の形態に係る屋根材を、図面を参照しながら説明する。なお、本発明に係る屋根材は、建築物を構成する野地板上に（又はこの野地板上に被覆されたシート上に）敷設されるものであっても良く、或いは、既にスレート瓦等の屋根材上に敷設されるものであっても良い。特に、前者の場合は建築物を新築する場合が該当し、また、後者は、既に建築された建築物を改装する場合に、既設の屋根材を残しつつ、この既設の屋根材の上に新たに本発明に係る屋根材を敷設する場合が該当する。
【実施例１】
【００１７】
この実施例１に係る屋根材１は、金属板を折曲して略長方形状としたものである。図１は、この屋根材１の表面側斜視図であり、図２は、裏面側斜視図である。この屋根材１の中央には、略長方形の板状の平板部２が形成されている。また、この平板部２の右端には、下面が該平板部２の上面に対向するように折り返されてなる右折返片３が形成されている。この右折返片３は、上記平板部２の右端と平行に形成された右折曲線４にて該右折曲線４が谷となるように折曲されており、平板部２の右端と連続する右折返片３の基端から右折曲線４までの面は、徐々に平板部２の上面に接近するように傾斜する右端部側傾斜面５とされており、また、この右折曲線４から右折返片３の先端までの面は、徐々に平板部２の上面と離間するように傾斜する右先端側傾斜面６とされている。同様に、この平板部２の左端には、上面が該平板部２の下面に対向するように折り返されてなる左折返片９が形成されている。この左折曲片９は、上記平板部２の左端と平行に形成された左折曲線１０にて該左折曲線１０が山となるように折曲されており、平板部２の左端と連続する左折返片９の基端から左折曲線１０までの面は、徐々に平板部２の下面に接近するように傾斜する左端部側傾斜面１１となっており、また、この左折曲線１０から左折返片９の先端までの面は、徐々に平板部２の下面と離間するように傾斜する左先端側傾斜面１２となっている。なお、上記右折返片３は、本発明を構成する一方の折返片であり、上記右折曲線４は、本発明を構成する一方の折曲線であり、上記左折返片９は、本発明を構成する他方の折返片であり、また、上記左折曲線１０は、本発明を構成する他方の折曲線である。なお、図１及び図２に示すように、平板部２の左右幅は、後述する凸条部２５の左右の長さよりも長くされており、このため、上記右折返片３と連続する平板部２の右端は、後述する凸条部２５の右端より右側に突出して位置する。また、この平板部２の凸条部２５の右端よりも右側に突出した部分では、勾配方向の上方側端部及び下方側端部それぞれに切欠き１５，１６が形成されている。
【００１８】
また、上記平板部２の下端には、上面が該平板部２の下面に対向するように折り返されてなる下側折返片１９が形成されている。この下側折返片１９は、平板部２の下端と連続して平板部２の下面側に起立する下端側垂下板部２０と、該下端側垂下板部２０の先端である下折曲線２１を介して折曲され上面が平板部２の下面と対向してなる下側対向板部２２と、から構成されている。なお、この下側対向板部２２の先端は、図２に示すように、切断端面で作業者が指先を切らないように折り返されている（符号は省略する。）。また、上記平板部２の上端には、凸条部２５が形成されている。この凸条部２５は、上記平板部２の上端から下面が該平板部２との間で鋭角を形成するよう折り返されてなる傾斜板部２６と、この傾斜板部２６の先端から平板部２の上端方向に向けて折り返され該平板部２と平行とされてなる第２の平板部２７と、この第２の平板部２７の上端から上記平板部２と直交するように折曲されてなる垂下板部２８と、を備えている。なお、上記傾斜板部２６の下面と上記平板部２との間の空間は、この屋根材１の勾配方向の上方に敷設される他の屋根材１の上記下側折返片１９の下側対向板部２２が挿入される部位であり、本発明を構成する挿入空間２９である。また、この凸条部２５の左右長さは、上述の通り、上記平板部２の左右長さよりも短くされており、このため、上記右折返片３と連続する平板部２の右端は、凸条部２５の右端より右側に突出している。また、上記垂下板部２８の平板部２の下面側に位置する端部（野地板側端部）からは、勾配方向上方に向けて挿入板部３２が形成されている。この挿入板部３２は、平板部２と平行にされており、上記下側対向板部２２と同じく、上端は図１に示すように折り返されている（符号は省略する。）。なお、この上記垂下板部２８の挿入板部３２と連続する端部（野地板側端部）は、平板部２の下面より僅かに下方に位置し、また、上記挿入板部３２も平板部２の下面より僅かに下方に位置している。なお、ここでは図示を省略するが、屋根材１の平板部２下面に、断熱性等が優れた素材のボードを貼付しても良い。すなわち、ウレタン，発泡スチロールやポリエチレン等を板状に成形した物をこの屋根材１の平板部２下面に貼付する事により、断熱性によりこの屋根材１を用いた建築物内の気温の変化を少なくし、建築物の屋根裏への結露を防止し、或いは、この建築物を防音性能に優れたものとすることができる。
【００１９】
次に、以上に述べた屋根材１を建築物の屋根に多数枚敷設する方法について説明する。なお、ここでは、屋根材を上述の建築物の改装に用いる場合における敷設方法を説明する。すなわち、この屋根材を敷設する建築物の屋根の野地板上には、既にスレート瓦が敷設されており、このスレート瓦上に更に本発明に係る屋根材を多数枚敷設する場合について説明する。本発明に係る屋根材１を敷設する改装前の建築物の屋根には、図３に示すように、上面に勾配方向の溝が多数形成された略長方形板状のセメント製のスレート瓦３６が多数敷設されている。このスレート瓦３６は、図４（Ａ）にも示すように、屋根の勾配方向の下方に位置して左右方向に一列に配置されたスレート瓦３６の上端近傍の上面上に、勾配方向の上方に位置する左右方向に一列に配置された他のスレート瓦３６の下端が載置される配置となっている。同時に、スレート瓦３６の勾配方向の下方に位置する左右方向に配置されて隣り合うスレート瓦３６間の境目は、勾配方向の上方（及び下方）に位置するスレート瓦３６の中央に位置するものとなっており、このスレート瓦３６は屋根上に千鳥配置となっている。なお、これらスレート瓦３６はそれぞれの上端付近で野地板に釘止めされている。
【００２０】
上記屋根材１は、屋根の左から右方向に順次敷設し、また、屋根の勾配方向の下方から上方に順次敷設する。先ず、上記屋根材１を左右方向に敷設する方法について説明する。図５は、この屋根材１を上記スレート瓦３６上へ敷設する作業の中途の状態を示すものであるが、屋根材１は、この屋根の左端かつ下端に位置する屋根材１を最初に敷設する。この最初の屋根材１の敷設は、図４（Ｂ）に示すように、屋根材１を構成する挿入板部３２を、この屋根材１の平板部２により被覆される一のスレート瓦３６の上端側中途部の上面とこのスレート瓦３６の上端側中途部に載置された他のスレート瓦３６の下端側下面との間３７に挿入し、この屋根材１を構成する凸条部２５の垂下板部２８を、該他のスレート瓦３６の勾配方向の下端端部と当接させる。このように、最初に敷設される屋根材１は、スレート瓦３６同士の間３７に挿入板部３２が挿入されることにより敷設されるものであるが、必要に応じて更にスレート瓦３６と屋根材１の挿入板部２とを釘及び／又は接着剤により固定し、或いはコーキング剤によって防水処理等を行う。
【００２１】
最初の屋根材１を敷設した後、次に新たな屋根材４１を敷設する。この屋根材４１は、上記屋根材１と同じ構成からなるものであって、図５に示すように先に敷設した屋根材１の右隣に位置するものである。この屋根材４１を敷設する方法は、先ず、既に敷設された上記屋根材１上にこの屋根材４１を重ね合わせ、次いで、該屋根材４１を右側に移動させる。こうした操作により、上記屋根材１の右側に形成された右折返片３と、この屋根材４１の左側に形成された左折返片４７とが互いに係合する。すなわち、上記操作により、敷設された屋根材１の右折返片３を構成する右先端側傾斜面６と平板部２との間に、上記屋根材４１の左折返片４７を構成する左先端側傾斜面５０が圧入され、最終的には、図６（B）に示すように、上記右折返片３と上記左折返片４７とが係合する。そして、このように、右折返片３と上記左折返片４７とを係合させた後には、上記屋根材４１を、該右折返片３や上記左折返片４７に沿って、屋根の勾配方向の上方側にスライドさせ、前記屋根材１を敷設する場合と同じように、上記屋根材４１の挿入板部をスレート瓦３６の上端側中途部の上面とこのスレート瓦３６の上端側中途部に載置される他のスレート瓦３６の下端側下面との間３７に挿入させる。なお、更に必要に応じて、上記屋根材１と同様に、スレート瓦３６と屋根材４１とを釘及び／又は接着剤により固定し、或いはコーキング剤によって防水処理等を行う。こうした要領で、屋根材４１の更に右側にも屋根材６０を敷設し、順次右方向に同一の屋根材を敷設する。なお、上記屋根材１を構成する平板部２の右端に突出する部分に形成された切欠き１５は、この屋根材１の右隣に敷設された上記屋根材４１の平板部４２により覆われる。このとき、上記切欠き１５は、上記屋根材４１に形成された垂下板部の下端端部近傍に当接する。したがって、上記屋根材４１に対して屋根の勾配の下側に力が作用した場合であって、下側に移動されることがなく、より強固な固定状態が維持される。
【００２２】
次に、屋根の勾配方向に屋根材を敷設する方法について説明する。上記の通り、図５に示すように、屋根材１，４１を左右方向に敷設した状態で、新たな屋根材６１を屋根の勾配方向上方に敷設する場合には、これら既設の屋根材１，４１の上端側中途部に形成された凸条部２５に新たに屋根の勾配方向上方に敷設する屋根材６１の下側折返片６３を係合させる。なお、以下の説明では屋根材６１の屋根材４１への固定については屋根材１への固定と同様なものであることから説明を省略する。すなわち、上記屋根材１，４１，６０と同様に、屋根材６１の挿入板部７４の先端をスレート瓦３６，３６間に挿入させると同時に、図７（Ａ）に示すように、該屋根材６１の下側折返片６３の先端を、上記屋根材１の凸条部２５を構成する傾斜板部２６の下面と平板部２との間の挿入空間２９内に挿入させる（なお、この図７及び後述の図９においては、スレート瓦３６は省略している。）。そして、屋根材６１の平板部６２を屋根材１の第２の平板部２７上に載置させ、この屋根材６１を上方に移動させることにより、該屋根材６１の挿入板部７４をスレート瓦３６，３６間に挿入すると同時に、図７（Ｂ）に示すように、該屋根材６１の下側折返片６３を屋根材１の凸条部２５に係合させる。すなわち、屋根材１の傾斜板部２６及び第２の平板部２７の下端側端部を屋根材６１の下端側垂下板部６４に当接させることにより互いに係合させる。更に必要に応じて、既設の屋根材１，４１，６０と同様に、スレート瓦３６と屋根材６１の挿入板部とを釘及び／又は接着剤により固定し、或いはコーキング剤によって防水処理等を行う。以上の敷設作業により、この屋根材６１は、図５に示すように敷設され、また、スレート瓦３６及び屋根材１とは、図４（Ｂ）に示すように係合される。そして、この屋根材６１の更に右側に敷設される図５に示す屋根材７６を、他の屋根材１，４１，６０，６１と同様に、左端に形成された左折返片と屋根材６１の右端に形成された右折返片とを係合させるとともに、固定片をスレート瓦３６，３６間の間３７に挿入させ、同時に、屋根材４１，６０に形成された挿入空間内に該屋根材７６の下側折返片を係合させる。以上の敷設作業を繰り返すことにより、建築物の屋根の全体を被覆することができる。
【００２３】
なお、本実施例１に係る屋根材１では、平板部２の上面に対向するよう折り返されてなる本発明を構成する一方の折返片を右折返片３とし、また、平板部２の下面に対向するよう折り返されてなる他方の折返片を左折返片９としている。このため、本実施例１に係る屋根材１は、先に敷設した一の屋根材の右端に他の屋根材の左端を重ね、屋根の左から右方向に順次敷設する構成となっている。しかしながら、本発明に係る屋根材はこのような形態に限られるものではない。すなわち、本発明を構成する一方の折返片を平板部の左側に設け、また、本発明を構成する他方の折返片を平板部の右側に設けるものとしてもよい。このような屋根材を用いた場合には、先に敷設した一の屋根材の左端に他の屋根材の右端を重ね、屋根の右から左方向に順次敷設することとなる。また、これら右方向に敷設する屋根材と左方向に敷設する屋根材を同一の屋根上に敷設しても良い。例えば、建築物の屋根が谷面状に湾曲する面とされており、この屋根の谷面の最下点である中央線から右方向及び左方向それぞれに順次屋根材を敷設するような場合には、左右両端の折返片が共に平板部の上面（又は下面）に対向するよう折り返されてなる新たな屋根材を作成し、この新たな屋根材を該屋根の面の中央線上に敷設した上で、該新たな屋根材から左方向及び右方向それぞれに上記の二種類の屋根材を順次敷設しても良い。
【実施例２】
【００２４】
このように上記実施例１に係る屋根材１によれば、建築物の屋根に容易に敷設することができ、屋根全体をこの屋根材１により被覆することができるが、本発明に係る屋根材は、この屋根材１の形態に限定されるものではない。この実施例２に係る屋根材８１は、上記屋根材１の右折返片３及び左折返片９の形状を変更したものである。すなわち、上記実施例１に係る屋根材１を構成する右折返片３には、直線状の右折曲線４を間に介して形成された右端部側傾斜面５と右先端側傾斜面６が形成されてなり、また、上記左折返片９には、直線状の左折曲線１０を間に介して左端部側傾斜面１１と左先端側傾斜面１２とが形成されてなるものであるが、図８（Ａ）に示すように、この屋根材８１の平板部８２の右端に形成された右折返片８３には、該平板部８２の右端と平行に円弧状の凹条８４が形成され、また、該平板部８２の左端に形成された左折返片８６には、該平板部８２の左端と平行に円弧状の円弧状の凸条８７が形成されている。したがって、この第２の実施の形態に係る屋根材８１，８１同士を、図５に示す屋根材１，４１のように左右に並べて固定する場合には、この屋根材８１の左折返片８６の凸条８７よりも端部側に形成された左端部側面８８の先端を、屋根材８１の右折返片８３の凹条８４よりも端部側に形成される右端部側面８５の先端と平板部８２との間に位置させて重ね合わせ、次いでこの屋根材８１を右方向に動かして左折返片８６を右折返片８３と平板部８２との間に圧入させ、図８（Ｂ）に示すように凹条８４と凸条８７とを係合させる。このように、実施例２に係る屋根材８１，８１であっても、上記屋根材１と同様に、これら屋根材８１同士を左右方向に連続して固定して屋根に敷設することができる。
【実施例３】
【００２５】
また、実施例３に係る屋根材９１は、上記屋根材１の下側折返片１９及び凸条部２５の形状を変更したものである。すなわち、図９（Ａ）に示すように、屋根材９１の平板部９２の下端に形成される下側折返片９３は、平板部９２の下端と連続して平板部９２の下面側に起立する下端側垂下板部９４と、該下端側垂下板部９４の先端である第１の下折曲線９５と連続して平板部９２の上端側に折曲し、徐々に該平板部９２の下面と離間するよう傾斜してなる下基端側傾斜面９６と、該下基端側傾斜面９６の先端である第２の下折曲線９７と連続して折曲し、徐々に該平板９２の下面と接近するように傾斜してなる下先端側傾斜面９８と、から構成されている。なお、この下先端側傾斜面９８の先端は、図９に示すように金属板の切断端面で作業者が指先を切らないように折り返されている（符号は省略する。）。なお、これら下基端側傾斜面９６及び下先端側傾斜面９８は、本発明を構成する第２の係合部である。また、この屋根材９１の平板部９２の上端に形成される凸条部１０１は、上記平板部９２の上端から該平板部９２の上面側に起立する起立面１０２と、この起立面１０２の先端で該平板部９２の下端側に折り返されるとともに、徐々に平板部９２の上面と接近するように傾斜してなる上基端側傾斜面１０３と、この上基端側傾斜面１０３の先端側で折曲し、平板部９２の下端側に向けて徐々に該平板部９２の上面から離間するように傾斜してなる上先端側傾斜面１０４と、この上先端側傾斜面１０４の先端で折り返され、上記平板部９２と平行にされて該平板部９２の上方に位置してなる第２の平板部１０５と、この第２の平板部１０５の上端から上記平板部９２に向けて折曲されてなる垂下板部１０６と、からなる。なお、この起立面１０２、上基端側傾斜面１０３及び上先端側傾斜面１０４の下面と上記平板部９２との間の空間は、この屋根材９１の勾配方向の上方に敷設される他の屋根材９１の下側折返片９３の下基端側傾斜面９６及び下先端側傾斜面９８が挿入される本発明を構成する挿入空間１０７となっている。また、これら下基端側傾斜面９６及び下先端側傾斜面９８は、本発明を構成する第２の係合部である。
【００２６】
したがって、この実施例３に係る屋根材９１，９１同士を、図５に示す屋根材１（又は４１，６０）と６１（又は７６）のように上下に並べて固定する場合には、一の屋根材９１の平板部９２の下面を他の屋根材９１の凸条部１０１の第２の平板部１０５上に載置すると共に、一の屋根材９１の下側折返片９３の下先端側傾斜面９８の先端を、他の屋根材９１の凸条部１０１の挿入空間１０７内に入れ、次いで一の屋根材８１を屋根の勾配方向の上方に動かして一の屋根材９１の下側折返片９３を他の屋根材９１の挿入空間内１０７の中に圧入させ、図９（Ｂ）に示すように一の屋根材９１の下基端側傾斜面９６及び下先端側傾斜面９８を他の屋根材９１の上基端側傾斜面１０３及び下先端側傾斜面１０４とを係合させる。このように、実施例３に係る屋根材９１，９１によると、中途に折曲された２つの面がかぎ状に係合することにより、上記屋根材１同士の係合に比べてこれら屋根材９１同士をより強固に上下方向に連続して固定して屋根に敷設することができる。
【図面の簡単な説明】
【００２７】
【図１】本発明の第１の実施の形態に係る屋根材を示す上面側斜視図である。
【図２】本発明の第１の実施の形態に係る屋根材を示す下面側斜視図である。
【図３】本発明の実施の形態に係る屋根材が取り付けられる建築物の屋根を示す斜視図である。
【図４】本発明の第１の実施の形態に係る屋根材を建築物に敷設する前及び後の状態を示す屋根の端面図である。
【図５】本発明の第１の実施の形態に係る屋根材を建築物の屋根に敷設する途中の状態を示す斜視図である。
【図６】本発明の第１の実施の形態に係る屋根材同士の左右方向へ連続して固定する状態を示す端面図である。
【図７】本発明の第１の実施の形態に係る屋根材同士の上下方向へ連続して固定する状態を示す端面図である。
【図８】本発明の第２の実施の形態に係る屋根材同士の左右方向へ連続して固定する状態を示す端面図である。
【図９】本発明の第３の実施の形態に係る屋根材同士の上下方向へ連続して固定する状態を示す端面図である。
【符号の説明】
【００２８】
１    屋根材
２    平板部
３    右折返片
４    右折曲線
５    右端部側傾斜面
６    右先端側傾斜面
９    左折返片
１０    左折曲線
１１    左端部側傾斜面
１２    左先端側傾斜面
１５，１６    切欠き
１９    下側折返片
２５    凸条部
２９    挿入空間
３６    スレート瓦
４１    屋根材
４２    平板部
４７    左折返片
４８    左折曲線
４９    左端部側傾斜面
５０    左先端側傾斜面
６０    屋根材
６１    屋根材
６２    平板部
６３    下側折返片
６４    下端側垂下板部
６５    下折曲線
６６    下側対向板部
７６    屋根材
８１    屋根材
８２    平板部
８３    右折返片
８４    凹条
８６    左折返片
８７    凸条
９１    屋根材
９２    平板部
９３    下側折返片
９６    下基端側傾斜面
９８    下先端側傾斜面
１０１    凸条部
１０２    起立板部
１０３    上基端側傾斜面
１０４    上先端側傾斜面
１０５    第２の平板部
１０６    垂下板部
１０７    挿入空間
【図１】
2005188197.tif 000003
【図２】
2005188197.tif 000004
【図３】
2005188197.tif 000005
【図４】
2005188197.tif 000006
【図５】
2005188197.tif 000007
【図６】
2005188197.tif 000008
【図７】
2005188197.tif 000009
【図８】
2005188197.tif 000010
【図９】
2005188197.tif 000011